(57)【要約】【課題】  ガラス片、陶器片、釘等の異物が散乱している場所を移動しても、それらが裏底側を貫通し難く安全性の高い履物を提供する。【解決手段】  本履物（スリッパ１）は、履物本体（スリッパ本体１１）と、該履物本体に設けられる甲被部１２と、を備え、前記履物本体は、底板部材１１１と、該底板部材の上面に敷設される補強板部材１１２（ボール紙等の紙製）と、該補強板部材の上面に敷設される金属製の保護板部材１１３（亜鉛メッキ皮膜が形成された鉄製、ステンレス製、アルミニウム製又はアルミニウム合金製等）と、該保護板部材の上面を覆う表被部材１１５と、を有する。更に、前記保護板部材の上面踵側には弾性材からなる嵩上げ部材１１４（ウレタン等の弾性材）が設けられていることができる。【選択図】  図１
0003110664.tif 000002
【実用新案登録請求の範囲】
【請求項１】
履物本体と、該履物本体に設けられる甲被部と、を備える履物において、
前記履物本体は、底板部材と、該底板部材の上面に敷設される補強板部材と、該補強板部材の上面に敷設される金属製の保護板部材と、該保護板部材の上面を覆う表被部材と、を有することを特徴とする履物。
【請求項２】
前記補強板部材が紙製である請求項１記載の履物。
【請求項３】
前記保護板部材が鉄製、ステンレス製、アルミニウム製又はアルミニウム合金製である請求項２記載の履物。
【請求項４】
前記鉄製の前記保護板部材の表面に亜鉛メッキ被膜が形成されている請求項３記載の履物。
【請求項５】
前記保護板部材の厚さが０．１〜１ｍｍである請求項３又は４記載の履物。
【請求項６】
更に、前記保護板部材の上面踵側には、弾性材からなる嵩上げ部材が設けられている請求項１乃至５のいずれか一項に記載の履物。
【請求項７】
前記保護板部材の下面に前記補強板部材が接着され、該保護板部材の上面踵側に前記嵩上げ部材が接着されている請求項６記載の履物。
【請求項８】
前記底板部材が弾性材からなる請求項１乃至７のいずれか一項に記載の履物。
【請求項９】
スリッパである請求項１乃至８のいずれか一項に記載の履物。
【請求項１０】
履物本体と、該履物本体に設けられる甲被部と、を備え、スリッパである履物において、
前記履物本体は、弾性材からなる底板部材と、該底板部材の上面に敷設される紙製の補強板部材と、該補強板部材の上面に敷設され且つ鉄製、ステンレス製、アルミニウム製又はアルミニウム合金製の保護板部材と、該保護板部材の上面を覆う表被部材と、を有し、前記鉄製の前記保護板部材の表面に亜鉛メッキ被膜が形成されていることを特徴とする履物。
【請求項１１】
履物本体と、該履物本体に設けられる甲被部と、を備え、震災用のスリッパである履物において、
前記履物本体は、弾性材からなる底板部材と、該底板部材の上面に敷設される紙製の補強板部材と、該補強板部材の上面に敷設され且つ表面に亜鉛メッキ皮膜が形成され更に厚さが０．１〜１ｍｍである鉄製の保護板部材と、該保護板部材の上面を覆う表被部材と、を有し、
前記保護板部材の上面踵側には、弾性材からなる嵩上げ部材が設けられており、前記保護板部材の下面に前記補強板部材が接着され、該保護板部材の上面踵側に前記嵩上げ部材が接着されていることを特徴とする履物。
【考案の詳細な説明】
【技術分野】
【０００１】
本考案は、履物に関し、更に詳しくは、ガラス片、陶器片、釘等の異物が散乱している場所を移動しても、それらが裏底側を貫通し難く安全性の高い履物に関する。
【背景技術】
【０００２】
地震等の災害時に、緊急にスリッパを履いて移動する場合がある。しかし、従来のスリッパでは、スリッパの裏底側が比較的軟質な材質から形成されているので、室内に散乱するガラス片、陶器片、釘等の異物を踏んづけてしまうと、それらがスリッパの裏底側を貫通して足に怪我を負う恐れがあった。
【考案の開示】
【考案が解決しようとする課題】
【０００３】
以上より本考案は、上記現状に鑑みてなされたものであり、ガラス片、陶器片、釘等の異物が散乱している場所を移動しても、それらが裏底側を貫通し難く安全性の高い履物を提供することを目的とする。
【課題を解決するための手段】
【０００４】
本考案は、以下の通りである。
１．履物本体と、該履物本体に設けられる甲被部と、を備える履物において、
前記履物本体は、底板部材と、該底板部材の上面に敷設される補強板部材と、該補強板部材の上面に敷設される金属製の保護板部材と、該保護板部材の上面を覆う表被部材と、を有することを特徴とする履物。
２．前記補強板部材が紙製である上記１．記載の履物。
３．前記保護板部材が鉄製、ステンレス製、アルミニウム製又はアルミニウム合金製である上記２．記載の履物。
４．前記鉄製の前記保護板部材の表面に亜鉛メッキ被膜が形成されている上記３．記載の履物。
５．前記保護板部材の厚さが０．１〜１ｍｍである上記３．又は４．記載の履物。
６．更に、前記保護板部材の上面踵側には、弾性材からなる嵩上げ部材が設けられている上記１．乃至５．のいずれか一項に記載の履物。
７．前記保護板部材の下面に前記補強板部材が接着され、該保護板部材の上面踵側に前記嵩上げ部材が接着されている上記６．記載の履物。
８．前記底板部材が弾性材からなる上記１．乃至７．のいずれか一項に記載の履物。
９．スリッパである上記１．乃至８．のいずれか一項に記載の履物。
１０．履物本体と、該履物本体に設けられる甲被部と、を備え、スリッパである履物において、
前記履物本体は、弾性材からなる底板部材と、該底板部材の上面に敷設される紙製の補強板部材と、該補強板部材の上面に敷設され且つ鉄製、ステンレス製、アルミニウム製又はアルミニウム合金製の保護板部材と、該保護板部材の上面を覆う表被部材と、を有し、前記鉄製の前記保護板部材の表面に亜鉛メッキ被膜が形成されていることを特徴とする履物。
１１．履物本体と、該履物本体に設けられる甲被部と、を備え、震災用のスリッパである履物において、
前記履物本体は、弾性材からなる底板部材と、該底板部材の上面に敷設される紙製の補強板部材と、該補強板部材の上面に敷設され且つ表面に亜鉛メッキ皮膜が形成され更に厚さが０．１〜１ｍｍである鉄製の保護板部材と、該保護板部材の上面を覆う表被部材と、を有し、
前記保護板部材の上面踵側には、弾性材からなる嵩上げ部材が設けられており、前記保護板部材の下面に前記補強板部材が接着され、該保護板部材の上面踵側に前記嵩上げ部材が接着されていることを特徴とする履物。
【考案の効果】
【０００５】
本考案の履物によると、履物本体が金属製の保護板部材を有しているので、ガラス片、陶器片、釘等の異物が散乱している場所を移動しても、それらが履物の裏底側を貫通し難く足を怪我してしまうことを抑制できる。また、履物本体が補強板部材を有しているので、上記保護板部材を薄くすることができ、軽量で且つ履き心地の良い履物を提供できる。
また、前記補強板部材が紙製である場合は、更なる軽量化を図ることができる。
また、前記保護板部材が鉄製である場合は、材料・加工コストを抑え安価な履物を提供できる。また、前記保護板部材がステンレス製である場合は、強度を向上させることができる。さらに、前記保護板部材がアルミニウム製又はアルミニウム合金製である場合は、更なる軽量化を図ることができる。
また、前記鉄製の前記保護板部材の表面に亜鉛メッキ被膜が形成されている場合は、保護板部材に良好な防錆性を持たせることができる。
また、前記保護板部材の厚さが０．１〜１ｍｍである場合は、更なる軽量化を図ることができる。
また、更に、前記保護板部材の上面踵側には、弾性材からなる嵩上げ部材が設けられている場合は、履き心地の良い履物を提供できる。
また、前記保護板部材の下面に前記補強板部材が接着され、該保護板部材の上面踵側に前記嵩上げ部材が接着されている場合は、保護板部材、補強板部材及び嵩上げ部材を一体物として取り扱うことができ、履物の加工性を向上させることができる。
また、前記底板部材が弾性材からなる場合は、更に履き心地の良いスリッパを提供できる。
また、スリッパである場合は、安全性の高いスリッパを提供できる。
【０００６】
本考案の他の履物によると、履物本体が鉄製、ステンレス製、アルミニウム製又はアルミニウム合金製の保護板部材を有しているので、ガラス片、陶器片、釘等の異物が散乱している場所を移動しても、それらが裏底側を貫通し難く足を怪我してしまうことを抑制できる。また、履物本体が紙製の補強板部材を有しているので、上記保護板部材を薄くすることができ、軽量で且つ履き心地の良いスリッパを提供できる。さらに、鉄製の保護板部材の表面に亜鉛メッキ被膜が形成されている場合は、保護板部材に良好な防錆性を持たせることができる。
本考案の他の震災用の履物によると、履物本体が厚さ０．１〜１ｍｍの鉄製の保護板部材を有しているので、ガラス片、陶器片、釘等の異物が散乱している場所を移動しても、それらが裏底側を貫通し難く足を怪我してしまうことを抑制できる。また、履物本体が紙製の補強板部材を有しているので、上記保護板部材を薄くすることができ、軽量で且つ履き心地の良いスリッパを提供できる。また、鉄製の保護板部材の表面に亜鉛メッキ被膜が形成されているので、保護板部材に良好な防錆性を持たせることができる。さらに、加工性に優れた安価なスリッパを提供できる。
【考案を実施するための最良の形態】
【０００７】
１．履物
本実施形態に係る履物は、以下に述べる履物本体及び甲被部を備えて構成される。なお、本履物の用途、サイズ等は特に問わず、例えば、子供用又は成人用のいずれであってもよい。本履物としては、例えば、スリッパ、上履き（児童用、看護師用等）を挙げることができる。また、本履物の用途としては震災用であることが好ましい。
【０００８】
上記「履物本体」は、以下に述べる底板部材、補強板部材、保護板部材、及び表被部材を有している。
【０００９】
上記「底板部材」の形状、厚さ、材質等は特に問わない。この底板部材は、例えば、弾性材よりなることができる。この弾性材としては、例えば、ＥＶＡスポンジ製、ウレタン製、その他のゴム製、樹脂製等を挙げることができる。
【００１０】
上記「補強板部材」は、上記底板部材の上面に敷設され得る限り、その形状、厚さ、材質等は特に問わない。この補強板部材は、例えば、紙製であることができる。この紙としては、例えば、厚紙（ボール紙）、ダンボール等を挙げることができる。また、補強板部材の厚さは、例えば、０．５〜３ｍｍであることができる。
【００１１】
上記「保護板部材」は、金属製であり且つ上記補強板部材の上面に敷設され得る限り、その形状、厚さ、材質（金属種類）等は特に問わない。この保護板部材としては、例えば、鉄製、ステンレス製、アルミニウム製、アルミニウム合金製等を挙げることができる。これらのうち材料・加工コストを抑制できるといった観点から、保護板部材が鉄製であることが好ましい。この場合、防錆性といった観点から、保護板部材の表面には亜鉛メッキ被膜が形成されていることが好ましい。さらに、高強度といった観点から、保護板部材がステンレス製であることが好ましい。また、上記保護板部材は、例えば、その厚さが０．１〜１ｍｍであることができる。
【００１２】
更に、上記保護板部材の上面踵側には、例えば、弾性材からなる嵩上げ部材が設けられていることができる。この場合、上記保護板部材の下面に補強板部材が接着され、保護板部材の上面踵側に嵩上げ部材が接着されていることが好ましい。なお、上記弾性材としては、例えば、ＥＶＡスポンジ製、ウレタン製、その他のゴム製、樹脂等を挙げることができる。
【００１３】
上記「表被部材」は、上記保護板部材の上面を覆い得る限り、その形状、厚さ、材質等は特に問わない。この表被部材としては、例えば、樹脂製（塩化ビニル製、ポリエチレン製等）、布製等を挙げることができる。
【実施例】
【００１４】
以下、図面に基づいて実施例により本考案を具体的に説明する。
【００１５】
（１）スリッパの構成
本実施例に係るスリッパ１（本考案に係る「履物」として例示する。）は、図１及び２に示すように、スリッパ本体１１と、塩化ビニール製の甲被部１２と、を備えて構成される。
【００１６】
上記スリッパ本体１１は、ＥＶＡスポンジ製の底板部材１１１を有している。この底板部材１１１の上面には、ボール紙製で厚さ０．８〜１．５ｍｍの補強板部材１１２が敷設されている。この補強板部材１１２の上面には、鉄製で厚さ０．３ｍｍの保護板部材１１３が敷設されている。この保護板部材１１３の表裏面には、亜鉛メッキ皮膜が形成されている。この保護板部材１１３の上面踵側には、ウレタン製の嵩上げ部材１１４が設けられている。また、上記保護板部材１１３及び嵩上げ部材１１４の上面は、塩化ビニール製の表被部材１１５で覆われている。上記底板部材１１１、補強板部材１１２、保護板部材１１３及び表被部材１１５は、足裏に対応した平面形状に形成されている。
【００１７】
ここで、上記保護板部材１１３の下面には接着剤を介して上記補強板部材１１２が接着され、この保護板部材１１３の上面踵側には接着剤を介して上記嵩上げ部材１１４が接着されている。
【００１８】
（２）スリッパの作用・効果
本実施例のスリッパ１によると、スリッパ本体１１が、鉄製で厚さ０．３ｍｍの保護板部材１１３を有しているので、地震等の震災時にガラス片、陶器片、釘等の異物が散乱している場所を移動しても、それらが裏底側を貫通し難く足を怪我してしまうことを抑制できる。また、スリッパ本体１１が、ボール紙製の補強板部材１１２を有しているので、上記保護板部材１１３を薄くすることができ、軽量で且つ履き心地の良いスリッパを提供できる。
また、スリッパ本体１１が、ＥＶＡスポンジ製の底板部材１１１と、ウレタン製の嵩上げ部材１１４とを有しているので、更に履き心地の良いスリッパ１を提供できる。
また、保護板部材１１３、補強板部材１１２及び嵩上げ部材１１４を接着剤により接着してなる一体物として取り扱うことができ、スリッパ１の加工性を向上させることができる。
【００１９】
尚、本考案においては、前記実施例に限られず、目的、用途に基づいて本考案の範囲内で種々変更した実施例とすることができる。即ち、上記実施例では、地震等の震災時に安全性を発揮するスリッパ１を例示したが、これに限定されず、例えば、本スリッパ１を用いれば、お年寄りや子供さんの散歩等においても高い安全性を発揮できる。
【産業上の利用可能性】
【００２０】
高い安全性を発揮し得る履物として利用される。特に、スリッパ、上履き（児童用、看護師用）等として好適に利用される。更に、震災用として好適に利用される。
【図面の簡単な説明】
【００２１】
【図１】本実施例に係るスリッパの縦断面図である。
【図２】上記スリッパの分解斜視図である。
【符号の説明】
【００２２】
１；スリッパ、１１；スリッパ本体、１１１；底板部材、１１２；補強板部材、１１３；保護板部材、１１４；嵩上げ部材、１１５；表被部材、１２；甲被部。
【図１】
0003110664.tif 000003
【図２】
0003110664.tif 000004